(57)【要約】【課題】二輪車をそのままの状態で安定させて輸送でき、輸送コストを低減させることも可能な、汎用性が高く場所をとらない二輪車用梱包材を提供すること。【解決手段】梱包箱１００は、スクータの全長およびハンドル幅と略同じ縦横長を有する長方形の底面板１０１と、底面板１０１にかぶせて側面および上面を形成する被覆箱１０２と、４枚の補強板１０３と、を有し、底面板１０１には、その長手方向の前方部分および後方部分のそれぞれに、短手方向に倒伏可能な二つの車輪挟持柱１０６を、車輪を挟持できる様に隔てて接合し、補強板１０３は、車輪挟持柱１０１内面の対角に当接しつつ挿抜可能とし、被覆箱は、側面となるべき面（側面部）１２１と上面を形成する面（上面部）１２２とが折り目を以て連なった平面体であって、梱包に際して箱状に折り上げ可能に形成した。【選択図】図１
2005289480.tif 000002
【特許請求の範囲】
【請求項１】
梱包すべき二輪車の全長およびハンドル幅と略同じ縦横長を有する長方形の底面体と、底面体にかぶせて側面および上面を形成する被覆体と、４つの筋交い板体と、を有する二輪車用梱包材であって、
底面体には、その長手方向の前方部分および後方部分のそれぞれに、短手方向に倒伏可能な二つの四角柱状筒体を、車輪を挟持できる様に隔てて接合し、
筋交い板体は、四角柱状筒体内面の対角に当接しつつ挿抜可能とし、
被覆体は、側面となるべき面と上面を形成する面とが折り目を以て連なった平面体であり、梱包に際して箱状に折り上げ可能に形成したことを特徴とする二輪車用梱包材。
【請求項２】
平板体の一片を残して外形を前記四角柱状筒体に内接する四角柱に折り曲げ、当該一片については更に内側に折り込み対角辺に当接させることにより前記筋交い板体を形成したことを特徴とする請求項１に記載の二輪車用梱包材。
【請求項３】
前方または後方の前記四角柱状筒体上面に接合させる平板体であって、四角柱状筒体上面の高さにおける車輪の断面形状が切り取られた車輪固定体を有することを特徴とする請求項１または２に記載の二輪車用梱包材。
【請求項４】
前後それぞれ二つの前記四角柱状筒体のそれぞれの外側に接し床面体の長辺に至る幅を有する四角柱状筒体であって、短手方向に倒伏可能な四角柱状筒体を有することを特徴とする請求項１、２または３に記載の二輪車用梱包材。
【請求項５】
四角柱状筒体の短手方向に上面から底面に向けて所定深さの切り込みを入れ、
当該切り込み部分に挿し込む衝立体であって、当該切り込みに嵌合し合う位置に残りの高さ分の切り込みを設けた衝立体を有することを特徴とする請求項１〜４の何れか一つに記載の二輪車用梱包材。
【請求項６】
底面体の周囲に、被覆体の側面下部と接合させる接合片を設けたことを特徴とする請求項１〜５の何れか一つに記載の二輪車用梱包材。
【請求項７】
素材を段ボールとしたことを特徴とする請求項１〜６の何れか一つに記載の二輪車用梱包材。
【請求項８】
二輪車が、自転車、または、排気量５０ｃｃ未満の原動機付自転車であることを特徴とする請求項７に記載の二輪車用梱包材。
【請求項９】
梱包すべき二輪車の全長およびハンドル幅と略同じ縦横長を有する長方形の底面体と、底面体にかぶせて側面および上面を形成する被覆体と、２つの筋交い板体と、を有する二輪車用梱包材であって、
底面体には、その長手方向に、短手方向に倒伏可能な二つの四角柱状筒体を、車輪を挟持できる様に隔てて接合し、
筋交い板体は、四角柱状筒体内面の対角に当接しつつ挿抜可能とし、
被覆体は、側面となるべき面と上面を形成する面とが折り目を以て連なった平面体であり、梱包に際して箱状に折り上げ可能に形成したことを特徴とする二輪車用梱包材。
【発明の詳細な説明】
【技術分野】
【０００１】
本発明は、二輪車用梱包材に関し、特に、スクータその他の小型のオートバイや自転車などの二輪車を梱包および輸送するのに適した二輪車用梱包材に関する。
【背景技術】
【０００２】
従来、二輪車用梱包材として様々なものが開発されている。例えば、特開昭６２―１０９７７８号公報「車両等の梱包用緩衝体」では、発泡ポリスチロールなどによりオートバイ全体を包む緩衝体に関する技術が開示されている。また、特開昭５２−７２６９４号公報「輸出用カートンの梱包方法」では、強度を必要とする部分のみに鋼骨組を利用して強度を保ちつつ軽量化を図り、例えば、オートバイを二台格納する技術が開示されている。また、実用新案登録第３０５５０５２号公報「オートバイ運送用包装箱」では、ハンドルをきった状態のオートバイを包装するために、後輪部分についてはせり上がる斜面で固定し、前輪部分については溝により固定する包装箱に関する技術が開示されている。また、実開昭４８−７４７５号公報「オートバイの梱包方法」では、前輪と後輪とエンジン部分を孔により位置決めおよび固定する技術が開示されている。
【０００３】
【特許文献１】特開昭６２―１０９７７８号公報
【特許文献２】特開昭５２−７２６９４号公報
【特許文献３】実用新案登録第３０５５０５２号公報
【特許文献４】実開昭４８−７４７５号公報
【発明の開示】
【発明が解決しようとする課題】
【０００４】
しかしながら、従来の技術では以下の問題点があった。
オートバイが輸送されるのは、新車の出荷時における輸送と、譲渡や転居に伴う移送といった中古車輸送と、の二つが存在する。ここで、メーカーが初期出荷する場合は専用の陸送車両があり梱包が不要である。一方、中古車販売業者間の陸送や、転居等に伴うオートバイの移送に際しては、引っ越し業者や宅配業者等の輸送業務をおこなう業者（以降において「輸送業者」と適宜称することとする。）に依頼する場合が通常である。
【０００５】
しかし、輸送業者が取り扱う対象は、原則として梱包されているものに限られる。これは、上に他の荷物を乗せたり混載できない、といった輸送車の利用効率の観点からの理由と、梱包しない状態（すなわち裸）のものは、傷がつくため保険対象とならないといった責任問題の観点からの理由に基づく。従って、専用車を用意し、オートバイの移送案件がある程度たまった時点で複数輸送する輸送パターンに依存することになり、例えば、目的地に移送されるまで１週間から２週間かかってしまうといった時間的な問題が生じていた。また、専用車で移送するため、移送コストが高い、といった問題点もあった。
【０００６】
これらの問題は、梱包さえできれば通常の荷物と同様に運べるので解決できるが、従来の技術では次の様な問題点があった。まず、梱包材が木枠や鉄枠であって、ものによっては分解できず場所をとってしまうなど、梱包材それ自体の保管や処分に困るという問題点があった。前述の特開昭６２―１０９７７８号公報、特開昭５２−７２６９４号公報、および、実開昭４８−７４７５号公報に開示される技術も同様な問題点を有する。また、オートバイは、完成形で移送するのが好ましく、前輪を外すなど、再組立が必要な状態で輸送するのは現実的でないという問題点があった。
【０００７】
なお、オートバイのうち、最も生産量および販売量が多いのは、いわゆる５０ｃｃ未満のスクータその他の原動機付自転車であって、５０ｃｃ以上のオートバイの３倍〜４倍も流通している。従って、比較的軽量小型の５０ｃｃ未満のオートバイを効率的かつ経済的、かつ、当然のことながら安定させて輸送したい、という要請がある。ここで、例えば、実用新案登録第３０５５０５２号公報に開示される技術では、ハンドルをきってしまうので重心位置がずれ、かえって安定的に輸送できないという問題点も生じる。また、ハンドルロックをする場合の角度は車種毎に異なり、また、車輪間隔も車種毎に異なるので、梱包材に汎用性を持たせ難くなる、という問題点もあった。
【０００８】
本発明は上記に鑑みてなされたものであって、二輪車をそのままの状態で安定させて輸送でき、輸送コストを低減させることも可能な、汎用性が高く場所をとらない二輪車用梱包材を提供することを目的とする。
【０００９】
また、容易に処分でき環境問題にも配慮した二輪車用梱包材を提供することを目的とする。
【課題を解決するための手段】
【００１０】
上記の目的を達成するために、請求項１に記載の二輪車用梱包材は、梱包すべき二輪車の全長およびハンドル幅と略同じ縦横長を有する長方形の底面体と、底面体にかぶせて側面および上面を形成する被覆体と、４つの筋交い板体と、を有する二輪車用梱包材であって、底面体には、その長手方向の前方部分および後方部分のそれぞれに、短手方向に倒伏可能な二つの四角柱状筒体を、車輪を挟持できる様に隔てて接合し、筋交い板体は、四角柱状筒体内面の対角に当接しつつ挿抜可能とし、被覆体は、側面となるべき面と上面を形成する面とが折り目を以て連なった平面体であり、梱包に際して箱状に折り上げ可能に形成したことを特徴とする。
【００１１】
すなわち、請求項１にかかる発明は、筋交い板体が四角柱状筒体を補強して十分な強度を確保しつつ左右から車輪を挟むことによって二輪車を立てたまま梱包可能となる。このとき、ハンドルをきらず前輪と後輪を一直線上に並べて底面体に固定可能であるため汎用性が高く、また、重心が偏ることなく負荷が左右の四角柱状筒体に均等に分散され、運搬時の安定性も高まる。また、前輪部分と後輪部分で四角柱状筒体を分けているので前輪と後輪のタイヤの幅が異なる場合であっても底面体への固定が可能となる。更に、梱包材すべてを平板基調とすることが可能となり梱包材自身が場所をとらない。
【００１２】
なお、筋交い板体とは、四角柱状筒体の長さ程度の長さと、四角柱状筒体の内面対角の幅を持つ細長い板を形成する部材をいう。筋交い板体は、四角柱状筒体を補強するが、その挿入向きは、車輪側へ斜め上となる向き、すなわち、ハの字になる様にする。また、四角柱状筒体の断面は必ずしも正方形である必要はないが、筋交い板体が奏功する様に縦横比は同程度であることが好ましい。また、四角柱状筒体は、車輪を挟持できる様に隔てるが、この間隔は車輪幅であることが好ましい。なお、二輪車は、自転車であってもオートバイであってもよい。本願では、オートバイは５０ｃｃ未満の原動機付自転車を含み、排気量には特に制限無く、梱包材の強度さえ担保できれば、大型のものであってもよい。
【００１３】
また、請求項２に記載の二輪車用梱包材は、請求項１に記載の二輪車用梱包材において、平板体の一片を残して外形を前記四角柱状筒体に内接する四角柱に折り曲げ、当該一片については更に内側に折り込み対角辺に当接させることにより前記筋交い板体を形成したことを特徴とする。
【００１４】
すなわち、請求項２にかかる発明は、四角柱状筒体が入籠となり強度をより強くでき、安定性を更に高めることが可能となる。なお、構成部材は請求項２にかかる発明においてもすべて平板基調とすることができる。
【００１５】
また、請求項３に記載の二輪車用梱包材は、請求項１または２に記載の二輪車用梱包材において、前方または後方の前記四角柱状筒体上面に接合させる平板体であって、四角柱状筒体上面の高さにおける車輪の断面形状が切り取られた車輪固定体を有することを特徴とする。
【００１６】
すなわち、請求項３にかかる発明は、二輪車が前後に移動しないストッパーの役割を果たす。この車輪固定体は前輪または後輪の一方にあてがえば十分であるが、通常、前輪を持ち上げる方が楽であるので前方の四角柱状筒体に接合するのが好ましい。なお、構成部材は請求項３にかかる発明においてもすべて平板基調とすることができる。
【００１７】
また、請求項４に記載の二輪車用梱包材は、請求項１、２または３に記載の二輪車用梱包材において、前後それぞれ二つの前記四角柱状筒体のそれぞれの外側に接し床面体の長辺に至る幅を有する四角柱状筒体であって、短手方向に倒伏可能な四角柱状筒体を有することを特徴とする。
【００１８】
すなわち、請求項４にかかる発明は、車輪を支える中央部分の四角柱状筒体を被覆体の側面により間接的に補強することが可能となる。なお、ここでいう外側とは、二輪車が配される底面体中央部分から見た外側をいうものとする。外側の四角柱状筒体は、複数（例えば片側に２つ、内側と合わせて片側計３つ）あっても良く、また、横長の四角柱状筒体を仕切によって分け、内側と外側の四角柱状筒体を一体的に形成しても良い。なお、構成部材は請求項４にかかる発明においてもすべて平板基調とすることができる。
【００１９】
また、請求項５に記載の二輪車用梱包材は、請求項１〜４の何れか一つに記載の二輪車用梱包材において、四角柱状筒体の短手方向に上面から底面に向けて所定深さの切り込みを入れ、当該切り込み部分に挿し込む衝立体であって、当該切り込みに嵌合し合う位置に残りの高さ分の切り込みを設けた衝立体を有することを特徴とする。
【００２０】
すなわち、請求項５にかかる発明は、衝立体により四角柱状筒体の強度を高め、かつ、車輪の前後への移動を防止可能となる。なお、衝立体は、前方と後方の四角柱状筒体の何れにも設けることができる。このとき、前輪部分では衝立体を車輪固定体より前方に差し込み、車輪固定体とともに前輪の移動をいっそう強固に制限する。なお、梱包する二輪車の車輪間隔が車種毎に異なるので、後輪部分では、衝立体を適切な箇所に挿入できる様に、複数の位置に切り込みを入れておいても良い。これにより、汎用性を高めつつ、後輪の移動を防止可能となる。なお、構成部材は請求項５にかかる発明においてもすべて平板基調とすることができる。
【００２１】
また、請求項６に記載の二輪車用梱包材は、請求項１〜５の何れか一つに記載の二輪車用梱包材において、底面体の周囲に、被覆体の側面下部と接合させる接合片を設けたことを特徴とする。
【００２２】
すなわち、請求項６にかかる発明は、接合片により簡便に被覆体と床面体とを一体化できる。なお、接合片は、ガムテープ留めできる程度の幅、例えば、５ｃｍ幅程度の余白を設けて構成することができる。
【００２３】
また、請求項７に記載の二輪車用梱包材は、請求項１〜６の何れか一つに記載の二輪車用梱包材において、素材を段ボールとしたことを特徴とする。また、請求項８に記載の二輪車用梱包材は、請求項７に記載の二輪車用梱包材において、二輪車が、自転車、または、排気量５０ｃｃ未満の原動機付自転車であることを特徴とする。
【００２４】
すなわち、請求項７にかかる発明は、容易に処分でき、リサイクル可能かつ安価な素材により二輪車梱包材を構成することができる。なお、段ボールの厚みと強度にもよるが、請求項８に示した様に、薄い段ボールでない限り、せいぜい重量が８０ｋｇ程度までの５０ｃｃ未満の原動機付自転車に関しては、十分安定的に梱包および運送可能である。なお、段ボールは表面が固くないので、車体に傷を付けずに信頼性高く二輪車を輸送できるという副次的な効果も生ずる。
【００２５】
また、請求項９に記載の二輪車用梱包材は、梱包すべき二輪車の全長およびハンドル幅と略同じ縦横長を有する長方形の底面体と、底面体にかぶせて側面および上面を形成する被覆体と、２つの筋交い板体と、を有する二輪車用梱包材であって、底面体には、その長手方向に、短手方向に倒伏可能な二つの四角柱状筒体を、車輪を挟持できる様に隔てて接合し、筋交い板体は、四角柱状筒体内面の対角に当接しつつ挿抜可能とし、被覆体は、側面となるべき面と上面を形成する面とが折り目を以て連なった平面体であり、梱包に際して箱状に折り上げ可能に形成したことを特徴とする。
【００２６】
すなわち、請求項９にかかる発明は、四角柱状筒体を二本として、前輪と後輪の幅が同程度である二輪車を梱包できる。なお、請求項９にかかる発明についても、請求項２〜８に示した構成を適宜採用可能であることは言うまでもない。
【発明の効果】
【００２７】
以上説明した様に、本発明の二輪車梱包材は、筋交い板体が四角柱状筒体を補強して十分な強度を確保しつつ左右から車輪を挟むことによって二輪車を立てたまま梱包可能となる。このとき、ハンドルをきらず前輪と後輪を一直線上に並べて底面体に固定可能であるため梱包材の汎用性が高まり、また、重心が偏ることなく負荷が左右の四角柱状筒体に均等に分散され、運搬時の安定性も高まる。また、前輪部分と後輪部分で四角柱状筒体を分けることにより前輪と後輪のタイヤの幅が異なる場合であっても底面体への固定が可能となる。更に、梱包材すべてを平板基調とすることが可能となり梱包材自身が場所をとらない。すなわち、本発明によれば、二輪車をそのままの状態で安定させて輸送でき、輸送コストを低減させることも可能な、汎用性が高く場所をとらない二輪車用梱包材を提供することが可能となる。
【００２８】
更に、四角柱状筒体を入籠構造として強度をより高め、安定性を更に高めることも可能となる。また、車輪固定体により二輪車が前後に移動するのを防止し、更に安定的な輸送が可能となる。同様に、衝立体により四角柱状筒体の強度を高めるとともに、車輪の前後への移動を防ぎ、車体をより安定させて輸送可能となる。また、素材を段ボールとすることにより、容易に処分でき環境問題にも配慮した二輪車用梱包材を提供することが可能となる。
【発明を実施するための最良の形態】
【００２９】
以下、本発明の実施の形態を図面を参照しながら詳細に説明する。ここでは、本発明をスクータの梱包箱に適用した例について説明する。
【００３０】
図１は、梱包箱の底面部分を組み立てたときの斜視図である。図２は、梱包箱のうち、底面部分に補強板を挿入したときの平面図（図２（ａ））と正面図（図２（ｂ））である。図３は、補強板の展開図（図３（ａ））と、底面部分への嵌挿時の様子（図３（ｂ））を示した説明図である。図４は、車輪固定板の展開図である。図５は、衝立板の平面図である。図６は、被覆箱の組立時の様子を示した説明図である。図７は、スクータを梱包した様子を部分的に透過して表した梱包概要図である。
【００３１】
梱包箱１００は、底面板１０１と、被覆箱１０２と、４枚の補強板１０３と、車輪固定板１０４と、２枚の衝立板１０５と、により構成される。また、梱包箱１００は、すべて段ボールにより作出している。
【００３２】
底面板１０１は、スクータの全長全幅程度、例えば本例では、縦１７５ｃｍ横６５ｃｍの縦長の大きさの段ボール素材により構成し、それぞれの辺に幅１０ｃｍの接合片１１１を設けている。梱包に際しては、先に底面板１０１にスクータを乗せてしまうので、接合片１１１がない場合には、床から底面板１０１の端部を起こして被覆箱１０２の端部に接合させる必要があり作業が繁雑となってしまう。そこで、梱包箱１００では、接合片１１１を設けて、スクータを載置後、接合片１１１を折り目１１２で折り曲げて被覆箱１０２と接合させ易く構成している。なお、接合端部片１１３により接合片１１１同士を接合させ合うことも可能となる。
【００３３】
底面板１０１は、前方に二つの車輪挟持柱１０６ｆを、後方に二つの車輪挟持柱１０６ｒを備え、左右から車輪を挟持する。図２（ｂ）に示した様に、車輪挟持柱１０６は、中空であって、間仕切１６１により二つの部屋に別れている。内側には後述する補強板１０３が挿入されている。車輪挟持柱１０６は中空のため、補強板１０３を外せば横方向に押しつぶすことができ、底面板１０１を場所をとらない平面的な構成とすることもできる。
【００３４】
また、車輪挟持柱１０６ｆには、前輪の移動を制限し車輪挟持柱１０６ｆを補強する衝立板１０５を差し込む差込穴１６３ｆが空けてあり、間仕切１６１と車輪挟持柱１０６ｆの内側壁１６２の対応する位置には、それぞれ所定深さの切り込みが設けられている。更に、車輪挟持柱１０６ｆには、車輪固定板１０４を接合するための差込穴１６４が設けられている。
【００３５】
一方、車輪挟持柱１０６ｒには、後輪の移動を制限し車輪挟持柱１０６ｒを補強する衝立板１０５を差し込む差込穴１６３ｒが複数列空けてある。また、対応する位置には、車輪挟持柱１０６ｆと同様に、所定深さの切り込みが設けられている。複数列設けることにより、スクータの長さに対応させて前後の衝立板１０５の間隔を調整できる。
【００３６】
補強板１０３は、長方形の段ボールを折り曲げ、車輪挟持柱１０６に内接する角柱としつつ更に剰余させた一片を折り込んで対角を支える筋交いを形成する。補強板１０３をこの様に構成することで、場所をとらない一枚物でかつ車輪挟持柱１０６がつぶれない様に内側から簡便に補強可能となる。図３に示した様に、補強板１０３は、角柱構成部１３１と筋交構成部１３２とから構成される。なお、補強板１０３を折り上げた後は、図３（ｂ）に示した様に、車輪挟持柱１０６に挿入する。図では片方に挿入する例を示しているが、中空部分のすべてに挿入しても良い。なお、図２（ｂ）に示した様に筋交構成部１３２がハの字になる様に挿入して車輪を堅強に挟持する様にする。
【００３７】
車輪固定板１０４は、図４に示した様に、車輪の断面形状に長円に切り欠いた前輪格納穴１４１と、車輪挟持柱１０６の差込穴１６４に差し込む舌片１４２と、から構成されている。長円の大きさは幅９．５ｃｍ長さ３８ｃｍ程度とすることができる。また、本実施の形態の場合、強度を確保するために、二つ折りにして使用する。
【００３８】
衝立板１０５は、図５に示した様に、平らな段ボールであって、切欠１５１により間仕切１６１と内側壁１６２の切り込みと勘合し、差込穴１６３ｆおよび差込穴１６３ｒに差し込める様にしている。なお、衝立板１０５も車輪固定板１０４と同様に二つ折りにして使用する様にしてもよい。
【００３９】
被覆箱１０２は、側面部１２１と上面部１２２とが折り目を以て連なった段ボールである。梱包時には、図６に示した様に箱状に折り上げて広げ、梱包しないときには、２面分でつぶす様にして平面的にする。
【００４０】
このように、本実施の形態の梱包箱によれば、スクータを立ててそのままの状態で安定させて輸送できる。梱包箱が上面も有する箱であるので、通常の輸送車で輸送でき、混載も可能となる。従って、輸送コストを低減させることもできる。また、梱包箱は、５０ｃｃ未満の、大きさも略同じであるスクータ用であって、ハンドルをきらずに梱包するので、汎用性を持たせることが可能となる。更に、すべて段ボールで構成しているので、梱包後（使用後）も資源ゴミとして古紙回収等のリサイクル過程に乗せることができる。また、梱包しないときには、例えば、被覆箱内に他の構成部材をすべて差し込んで場所をとらないセットとして、管理保管できる。なお、段ボールは、スクータの重さに対して、強度を確保できるのであれば種々採用できるが、例えば、大昌株式会社製の型番「ＡＢＦ  Ｋ６×Ｓ×Ｋ６」などを挙げることができる。
【００４１】
なお、以上の構成例では、車輪挟持柱を前輪用と後輪用に分けたが、分けずに両サイドに長尺物二本により構成しても良い。
【産業上の利用可能性】
【００４２】
本発明の活用例として、自転車を梱包することもできる。また、段ボールの強度に応じて、５０ｃｃ以上のオートバイも梱包可能である。
【図面の簡単な説明】
【００４３】
【図１】梱包箱の底面部分を組み立てたときの斜視図である。
【図２】梱包箱のうち、底面部分に補強板を挿入したときの平面図と正面図である。
【図３】補強板の展開図と、底面部分への嵌挿時の様子を示した説明図である。
【図４】車輪固定板の展開図である。
【図５】衝立体の平面図である。
【図６】被覆箱の組立時の様子を示した説明図である。
【図７】スクータを梱包した様子を部分的に透過して表した梱包概要図である。
【符号の説明】
【００４４】
１００  梱包箱
１０１  底面板
１０２  被覆箱
１０３  補強板
１０４  車輪固定板
１０５  衝立板
１０６  車輪挟持柱
１１１  接合片
１１２  折り目
１１３  接合端部片
１２１  側面部
１２２  上面部
１３１  角柱構成部
１３２  筋交構成部
１４１  前輪格納穴
１４２  舌片
１５１  切欠
１６１  間仕切
１６２  内側壁
１６３，１６４           差込穴
【図１】
2005289480.tif 000003
【図２】
2005289480.tif 000004
【図３】
2005289480.tif 000005
【図４】
2005289480.tif 000006
【図５】
2005289480.tif 000007
【図６】
2005289480.tif 000008
【図７】
2005289480.tif 000009